【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
印刷データを特定するための印刷データ識別情報と、該印刷データの印刷ができるユーザのユーザ識別情報とを記憶する印刷データ記憶装置と通信可能な、画像処理装置であって、
ユーザを特定するための認証情報を受け付ける認証情報受付手段と、
前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、
前記一覧情報取得手段により取得された印刷データ一覧情報を表示する表示手段と、
前記表示手段により表示された印刷データ一覧情報から、印刷出力すべき印刷データの選択を受け付ける選択受付手段と、
前記選択受付手段により印刷データの選択を受け付けた後で、前記認証情報受付手段により受け付けた認証情報を再度受け付けた場合に、前記選択受付手段により受け付けた印刷データの印刷出力指示を前記印刷データ記憶装置に送信する印刷出力指示手段と
を備えることを特徴とする画像処理装置。
【請求項２】
前記印刷データ一覧情報は、再度の認証情報が必要である印刷データか否かを示す要否情報を含み、
前記表示手段は、前記要否情報を用いて、印刷時に再度の認証情報が必要である印刷データと印刷時に再度の認証情報が必要でない印刷データとを識別可能に表示することを特徴とする請求項１に記載の画像処理装置。
【請求項３】
前記印刷出力指示手段は、前記選択受付手段により印刷時に再度の認証情報が必要である印刷データと印刷時に再度の認証情報が必要でない印刷データとが合わせて選択を受け付けた場合に、前記印刷時に再度の認証情報が必要である印刷データを前記印刷時に再度の認証情報が必要でない印刷データよりも先に印刷されるように、印刷出力指示を前記印刷データ記憶装置に送信することを特徴とする請求項１または２に記載の画像処理装置。
【請求項４】
前記表示手段は、印刷時に再度の認証情報が必要である印刷データと印刷時に再度の認証情報が必要でない印刷データとを、別々の一覧として表示し、それぞれの一覧を切り替え可能に表示することを特徴とする請求項２または３に記載の画像処理装置。
【請求項５】
前記印刷データ記憶装置は、画像処理装置と別筐体であることを特徴とする請求項１乃至４のいずれか１項に記載の画像処理装置。
【請求項６】
印刷データを特定するための印刷データ識別情報と、該印刷データの印刷ができるユーザのユーザ識別情報とを記憶する印刷データ記憶装置と、画像処理装置とを含む印刷システムであって、
前記印刷データ記憶装置は、
前記画像処理装置から受信した認証情報から特定されるユーザのユーザ識別情報を用いて、当該ユーザが印刷できる印刷データの印刷データ識別情報を含む印刷データ一覧情報を送信する一覧情報送信手段と、
前記画像処理装置から受け取った印刷出力指示に従って、該印刷出力指示で指定された印刷データを、当該画像処理装置で印刷すべく出力指示を行う出力制御手段とを備え、
前記画像処理装置は、
ユーザを特定するための認証情報を受け付ける認証情報受付手段と、
前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、
前記一覧情報取得手段により取得された印刷データ一覧情報を表示する表示手段と、
前記表示手段により表示された前記印刷データ一覧情報から、印刷出力すべき印刷データの選択を受け付ける選択受付手段と、
前記選択受付手段により印刷データの選択を受け付けた後で、前記認証情報受付手段により受け付けた認証情報を再度受け付けた場合に、前記選択受付手段により受け付けた印刷データの印刷出力指示を前記印刷データ記憶装置に送信する印刷出力指示手段と
を備えることを特徴とする印刷システム。
【請求項７】
印刷データを特定するための印刷データ識別情報と、該印刷データの印刷ができるユーザのユーザ識別情報とを記憶する印刷データ記憶装置と通信可能な、画像処理装置における制御方法であって、
前記画像処理装置が
ユーザを特定するための認証情報を受け付ける認証情報受付ステップと、
前記認証情報受付ステップで受け付けた認証情報により得られるユーザ識別情報を用いて、前記印刷データ記憶装置から当該ユーザが印刷できる印刷データの印刷データ識別情報を含む印刷データ一覧情報を取得する一覧情報取得ステップと、
前記一覧情報取得ステップで取得された印刷データ一覧情報を表示する表示ステップと、
前記表示ステップで表示された印刷データ一覧情報から、印刷出力すべき印刷データの選択を受け付ける選択受付ステップと、
前記選択受付ステップで印刷データの選択を受け付けた後で、前記認証情報受付ステップで受け付けた認証情報を再度受け付けた場合に、前記選択受付ステップで受け付けた印刷データの印刷出力指示を前記印刷データ記憶装置に送信する印刷出力指示ステップと
を実行することを特徴とする制御方法。
【請求項８】
印刷データを特定するための印刷データ識別情報と、該印刷データの印刷ができるユーザのユーザ識別情報とを記憶する印刷データ記憶装置と、画像処理装置とを含む印刷システムにおける制御方法であって、
前記印刷データ記憶装置が、
前記画像処理装置から受信した認証情報から特定されるユーザのユーザ識別情報を用いて、当該ユーザが印刷できる印刷データの印刷データ識別情報を含む印刷データ一覧情報を送信する一覧情報送信ステップと、
前記画像処理装置から受け取った印刷出力指示に従って、該印刷出力指示で指定された印刷データを、当該画像処理装置で印刷すべく出力指示を行う出力制御ステップとを実行し、
前記画像処理装置が、
ユーザを特定するための認証情報を受け付ける認証情報受付ステップと、
前記認証情報受付ステップにより受け付けた認証情報により得られるユーザ識別情報を用いて、前記印刷データ記憶装置から当該ユーザが印刷できる印刷データの印刷データ識別情報を含む印刷データ一覧情報を取得する一覧情報取得ステップと、
前記一覧情報取得ステップで取得された印刷データ一覧情報を表示する表示ステップと、
前記表示ステップで表示された印刷データ一覧情報から、印刷出力すべき印刷データの選択を受け付ける選択受付ステップと、
前記選択受付ステップで印刷データの選択を受け付けた後で、前記認証情報受付ステップで受け付けた認証情報を再度受け付けた場合に、前記選択受付ステップで受け付けた印刷データの印刷出力指示を前記印刷データ記憶装置に送信する印刷出力指示ステップと
を実行することを特徴とする制御方法。
【請求項９】
印刷データを特定するための印刷データ識別情報と、該印刷データの印刷ができるユーザのユーザ識別情報とを記憶する印刷データ記憶装置と通信可能な、画像処理装置で実行可能なプログラムであって、
前記画像処理装置を、
ユーザを特定するための認証情報を受け付ける認証情報受付手段と、
前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、
前記一覧情報取得手段により取得された印刷データ一覧情報を表示する表示手段と、
前記表示手段により表示された印刷データ一覧情報から、印刷出力すべき印刷データの選択を受け付ける選択受付手段と、
前記選択受付手段により印刷データの選択を受け付けた後で、前記認証情報受付手段により受け付けた認証情報を再度受け付けた場合に、前記選択受付手段により受け付けた印刷データの印刷出力指示を前記印刷データ記憶装置に送信する印刷出力指示手段と
して機能させることを特徴とするプログラム。
【請求項１０】
印刷データを特定するための印刷データ識別情報と、該印刷データの印刷ができるユーザのユーザ識別情報とを記憶する印刷データ記憶装置と、画像処理装置とを含む印刷システムで実行可能なプログラムであって、
前記印刷データ記憶装置を、
前記画像処理装置から受信した認証情報から特定されるユーザのユーザ識別情報を用いて、当該ユーザが印刷できる印刷データの印刷データ識別情報を含む印刷データ一覧情報を送信する一覧情報送信手段と、
前記画像処理装置から受け取った印刷出力指示に従って、該印刷出力指示で指定された印刷データを、当該画像処理装置で印刷すべく出力指示を行う出力制御手段とをして機能させ、
前記画像処理装置を、
ユーザを特定するための認証情報を受け付ける認証情報受付手段と、
前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、
前記一覧情報取得手段により取得された印刷データ一覧情報を表示する表示手段と、
前記表示手段により表示された前記印刷データ一覧情報から、印刷出力すべき印刷データの選択を受け付ける選択受付手段と、
前記選択受付手段により印刷データの選択を受け付けた後で、前記認証情報受付手段により受け付けた認証情報を再度受け付けた場合に、前記選択受付手段により受け付けた印刷データの印刷出力指示を前記印刷データ記憶装置に送信する印刷出力指示手段と
して機能させることを特徴とするプログラム。
【手続補正２】
【補正対象書類名】明細書
【補正対象項目名】０００６
【補正方法】変更
【補正の内容】
【０００６】
本発明の第一の目的は、ユーザが印刷装置へログインした後も、第三者からは容易に印刷されることを防ぐ仕組みを提供することである。
【手続補正３】
【補正対象書類名】明細書
【補正対象項目名】０００８
【補正方法】変更
【補正の内容】
【０００８】
本願発明は、印刷データを特定するための印刷データ識別情報と、該印刷データの印刷ができるユーザのユーザ識別情報とを記憶する印刷データ記憶装置と通信可能な、画像処理装置であって、ユーザを特定するための認証情報を受け付ける認証情報受付手段と、前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、前記一覧情報取得手段により取得された印刷データ一覧情報を表示する表示手段と、前記表示手段により表示された印刷データ一覧情報から、印刷出力すべき印刷データの選択を受け付ける選択受付手段と、前記選択受付手段により印刷データの選択を受け付けた後で、前記認証情報受付手段により受け付けた認証情報を再度受け付けた場合に、前記選択受付手段により受け付けた印刷データの印刷出力指示を前記印刷データ記憶装置に送信する印刷出力指示手段とを備えることを特徴とする。
【手続補正４】
【補正対象書類名】明細書
【補正対象項目名】０００９
【補正方法】変更
【補正の内容】
【０００９】
また、前記印刷データ一覧情報は、再度の認証情報が必要である印刷データか否かを示す要否情報を含み、前記表示手段は、前記要否情報を用いて、印刷時に再度の認証情報が必要である印刷データと印刷時に再度の認証情報が必要でない印刷データとを識別可能に表示することを特徴とする。
【手続補正５】
【補正対象書類名】明細書
【補正対象項目名】００１０
【補正方法】変更
【補正の内容】
【００１０】
また、前記印刷出力指示手段は、前記選択受付手段により印刷時に再度の認証情報が必要である印刷データと印刷時に再度の認証情報が必要でない印刷データとが合わせて選択を受け付けた場合に、前記印刷時に再度の認証情報が必要である印刷データを前記印刷時に再度の認証情報が必要でない印刷データよりも先に印刷されるように、印刷出力指示を前記印刷データ記憶装置に送信することを特徴とする。
【手続補正６】
【補正対象書類名】明細書
【補正対象項目名】００１２
【補正方法】変更
【補正の内容】
【００１２】
また、前記印刷データ記憶装置は、画像処理装置と別筐体であることを特徴とする。
【手続補正７】
【補正対象書類名】明細書
【補正対象項目名】００１３
【補正方法】変更
【補正の内容】
【００１３】
また、印刷データを特定するための印刷データ識別情報と、該印刷データの印刷ができるユーザのユーザ識別情報とを記憶する印刷データ記憶装置と、画像処理装置とを含む印刷システムであって、前記印刷データ記憶装置は、前記画像処理装置から受信した認証情報から特定されるユーザのユーザ識別情報を用いて、当該ユーザが印刷できる印刷データの印刷データ識別情報を含む印刷データ一覧情報を送信する一覧情報送信手段と、前記画像処理装置から受け取った印刷出力指示に従って、該印刷出力指示で指定された印刷データを、当該画像処理装置で印刷すべく出力指示を行う出力制御手段とを備え、前記画像処理装置は、ユーザを特定するための認証情報を受け付ける認証情報受付手段と、前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、前記一覧情報取得手段により取得された印刷データ一覧情報を表示する表示手段と、
前記表示手段により表示された前記印刷データ一覧情報から、印刷出力すべき印刷データの選択を受け付ける選択受付手段と、
前記選択受付手段により印刷データの選択を受け付けた後で、前記認証情報受付手段により受け付けた認証情報を再度受け付けた場合に、前記選択受付手段により受け付けた印刷データの印刷出力指示を前記印刷データ記憶装置に送信する印刷出力指示手段とを備えることを特徴とする。
【手続補正８】
【補正対象書類名】明細書
【補正対象項目名】００１４
【補正方法】変更
【補正の内容】
【００１４】
また、印刷データを特定するための印刷データ識別情報と、該印刷データの印刷ができるユーザのユーザ識別情報とを記憶する印刷データ記憶装置と通信可能な、画像処理装置における制御方法であって、前記画像処理装置がユーザを特定するための認証情報を受け付ける認証情報受付ステップと、前記認証情報受付ステップで受け付けた認証情報により得られるユーザ識別情報を用いて、前記印刷データ記憶装置から当該ユーザが印刷できる印刷データの印刷データ識別情報を含む印刷データ一覧情報を取得する一覧情報取得ステップと、前記一覧情報取得ステップで取得された印刷データ一覧情報を表示する表示ステップと、前記表示ステップで表示された印刷データ一覧情報から、印刷出力すべき印刷データの選択を受け付ける選択受付ステップと、前記選択受付ステップで印刷データの選択を受け付けた後で、前記認証情報受付ステップで受け付けた認証情報を再度受け付けた場合に、前記選択受付ステップで受け付けた印刷データの印刷出力指示を前記印刷データ記憶装置に送信する印刷出力指示ステップとを実行することを特徴とする。
【手続補正９】
【補正対象書類名】明細書
【補正対象項目名】００１５
【補正方法】変更
【補正の内容】
【００１５】
また、印刷データを特定するための印刷データ識別情報と、該印刷データの印刷ができるユーザのユーザ識別情報とを記憶する印刷データ記憶装置と、画像処理装置とを含む印刷システムにおける制御方法であって、前記印刷データ記憶装置が、前記画像処理装置から受信した認証情報から特定されるユーザのユーザ識別情報を用いて、当該ユーザが印刷できる印刷データの印刷データ識別情報を含む印刷データ一覧情報を送信する一覧情報送信ステップと、前記画像処理装置から受け取った印刷出力指示に従って、該印刷出力指示で指定された印刷データを、当該画像処理装置で印刷すべく出力指示を行う出力制御ステップとを実行し、
前記画像処理装置が、ユーザを特定するための認証情報を受け付ける認証情報受付ステップと、前記認証情報受付ステップにより受け付けた認証情報により得られるユーザ識別情報を用いて、前記印刷データ記憶装置から当該ユーザが印刷できる印刷データの印刷データ識別情報を含む印刷データ一覧情報を取得する一覧情報取得ステップと、前記一覧情報取得ステップで取得された印刷データ一覧情報を表示する表示ステップと、前記表示ステップで表示された印刷データ一覧情報から、印刷出力すべき印刷データの選択を受け付ける選択受付ステップと、前記選択受付ステップで印刷データの選択を受け付けた後で、前記認証情報受付ステップで受け付けた認証情報を再度受け付けた場合に、前記選択受付ステップで受け付けた印刷データの印刷出力指示を前記印刷データ記憶装置に送信する印刷出力指示ステップとを実行することを特徴とする。
【手続補正１０】
【補正対象書類名】明細書
【補正対象項目名】００１６
【補正方法】変更
【補正の内容】
【００１６】
また、印刷データを特定するための印刷データ識別情報と、該印刷データの印刷ができるユーザのユーザ識別情報とを記憶する印刷データ記憶装置と通信可能な、画像処理装置で実行可能なプログラムであって、前記画像処理装置を、ユーザを特定するための認証情報を受け付ける認証情報受付手段と、前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、前記一覧情報取得手段により取得された印刷データ一覧情報を表示する表示手段と、前記表示手段により表示された印刷データ一覧情報から、印刷出力すべき印刷データの選択を受け付ける選択受付手段と、前記選択受付手段により印刷データの選択を受け付けた後で、前記認証情報受付手段により受け付けた認証情報を再度受け付けた場合に、前記選択受付手段により受け付けた印刷データの印刷出力指示を前記印刷データ記憶装置に送信する印刷出力指示手段として機能させることを特徴とする。
【手続補正１１】
【補正対象書類名】明細書
【補正対象項目名】００１７
【補正方法】変更
【補正の内容】
【００１７】
また、印刷データを特定するための印刷データ識別情報と、該印刷データの印刷ができるユーザのユーザ識別情報とを記憶する印刷データ記憶装置と、画像処理装置とを含む印刷システムで実行可能なプログラムであって、前記印刷データ記憶装置を、前記画像処理装置から受信した認証情報から特定されるユーザのユーザ識別情報を用いて、当該ユーザが印刷できる印刷データの印刷データ識別情報を含む印刷データ一覧情報を送信する一覧情報送信手段と、前記画像処理装置から受け取った印刷出力指示に従って、該印刷出力指示で指定された印刷データを、当該画像処理装置で印刷すべく出力指示を行う出力制御手段とをして機能させ、前記画像処理装置を、ユーザを特定するための認証情報を受け付ける認証情報受付手段と、前記認証情報受付手段により受け付けた認証情報により得られるユーザ識別情報を用いて、前記印刷データ記憶装置から当該ユーザが印刷できる印刷データの印刷データ識別情報を含む印刷データ一覧情報を取得する一覧情報取得手段と、前記一覧情報取得手段により取得された印刷データ一覧情報を表示する表示手段と、前記表示手段により表示された前記印刷データ一覧情報から、印刷出力すべき印刷データの選択を受け付ける選択受付手段と、前記選択受付手段により印刷データの選択を受け付けた後で、前記認証情報受付手段により受け付けた認証情報を再度受け付けた場合に、前記選択受付手段により受け付けた印刷データの印刷出力指示を前記印刷データ記憶装置に送信する印刷出力指示手段として機能させることを特徴とする。
【手続補正１２】
【補正対象書類名】明細書
【補正対象項目名】００１８
【補正方法】変更
【補正の内容】
【００１８】
本願の第１の発明によれば、ユーザが印刷装置へログインした後も、第三者からは容易に印刷されることを防ぐことができる。